(57)【要約】  本発明の好ましい一実施例のリストバンド用紙は、前記用紙の上面には、インク受入層が形成されており、前記用紙の下面は、接着層及び前記接着層を保護するための剥離層を備え、前記インク受入層は、ポリエチレン、ポリビニルアルコール及びシリカ成分を含む溶液を塗布し、乾燥することにより形成されたことを特徴とする。本発明の好ましい一実施例によると、既存に用いられている一般のプリンタをそのまま利用して簡便にリストバンドを作製することのできるリストバンド用紙及びその製造方法を提供することができる。
2015501953.tif 000002
【特許請求の範囲】
【請求項１】
用紙において、
前記用紙の上面には、インクが印刷され得るインク受入層が形成されていることを特徴とするリストバンド用紙。
【請求項２】
前記用紙の下面は、接着層及び前記接着層を保護するための剥離層を備えていることを特徴とする請求項１に記載のリストバンド用紙。
【請求項３】
前記リストバンド用紙は、
一定の長さ及び幅の切取線が形成されていることを特徴とする請求項２に記載のリストバンド用紙。
【請求項４】
前記インク受入層は、
ポリエチレン、ポリビニルアルコール及びシリカ成分を含む溶液を塗布し、乾燥することにより形成されていることを特徴とする請求項１乃至３のいずれか一項に記載のリストバンド用紙。
【請求項５】
前記溶液のうち、前記ポリエチレンは、７０〜９０重量％が含まれていることを特徴とする請求項４に記載のリストバンド用紙。
【請求項６】
前記溶液は、
ジメチル、メチル（ポリエチレンオキシド）シリコンをさらに含むことを特徴とする請求項４に記載のリストバンド用紙。
【請求項７】
（ａ）用紙の上面にインクが印刷され得るインク受入層溶液を塗布するステップ；
（ｂ）前記インク受入層溶液を乾燥するステップ；及び
（ｃ）前記用紙に一定の長さ及び幅の切取線を形成するステップ；を含むことを特徴とするリストバンド用紙の製造方法。
【請求項８】
前記インク受入層溶液は、
ポリエチレン、ポリビニルアルコール及びシリカ成分を含むことを特徴とする請求項７に記載のリストバンド用紙の製造方法。
【請求項９】
前記インク受入層溶液は、
ジメチル、メチル（ポリエチレンオキシド）シリコンをさらに含むことを特徴とする請求項８に記載のリストバンド用紙の製造方法。
【請求項１０】
前記インク受入層溶液のうち、前記ポリエチレンは、７０〜９０重量％が含まれていることを特徴とする請求項９に記載のリストバンド用紙の製造方法。
【発明の詳細な説明】
【技術分野】
【０００１】
本発明は、リストバンド用紙及びその製造方法に関し、さらに詳細には、特有のインク受入層を含んでおり、一般のプリンタで印刷可能なリストバンド用紙及びその製造方法に関する。
【背景技術】
【０００２】
リストバンドは、遊園地等の入場時に着用することにより遊園地の便利な利用を可能とする。このようなリストバンドは、既存の遊園地だけでなく、各種の展示会、集会等にもよく活用されている傾向にある。即ち、現在、リストバンドの需要は、大量の数が要求される一つのデザインのリストバンドの市場だけでなく、少量の印刷数が要求される様々なデザインのリストバンドの市場も大きく形成されている傾向にある。
【０００３】
しかし、従来、リストバンドは、ＵＶ印刷でのみ印刷することができた。ＵＶ印刷とは、簡単に説明すると、ＵＶインクで印刷した後、ＵＶランプを照射して瞬間乾燥させる方法である。従って、ＵＶ印刷法によるリストバンドの作製の場合、少量のリストバンドの作製時には多くの煩わしさがあった。
【０００４】
従って、既存に用いられている一般のプリンタをそのまま利用することができ、簡便にリストバンドを作製することのできるリストバンド用紙への要求が段々と高まりつつある。
【発明の概要】
【発明が解決しようとする課題】
【０００５】
本発明の目的は、前述したような技術的課題を解決することである。本発明の目的は、既存に用いられている一般のプリンタをそのまま利用して簡便にリストバンドを作製することのできるリストバンド用紙及びその製造方法を提供することにある。
【課題を解決するための手段】
【０００６】
本発明の好ましい一実施例に係るリストバンド用紙は、前記用紙の上面には、インクが印刷され得るインク受入層が形成されており、前記用紙の下面は、接着層及び前記接着層を保護するための剥離層を備えていることを特徴とする。
【０００７】
また、前記リストバンド用紙は、一定の長さ及び幅の切取線が形成されていることが好ましい。
【０００８】
具体的に、前記インク受入層は、ポリエチレン、ポリビニルアルコール及びシリカ成分を含む溶液を用紙に塗布し、乾燥することにより形成されていることを特徴とする。好ましい一実施例に係る前記溶液のうち、前記ポリエチレンの割合は、７０〜９０重量％が含まれていることを特徴とする。また、前記溶液は、ジメチル、メチル（ポリエチレンオキシド）シリコンをさらに含むことを特徴とする。
【０００９】
本発明の好ましい一実施例に係るリストバンド用紙の製造方法は、（ａ）用紙の上面にインクが印刷され得るインク受入層溶液を塗布するステップ；（ｂ）前記インク受入層溶液を乾燥するステップ；及び（ｃ）前記用紙に一定の長さ及び幅の切取線を形成するステップ；を含むことを特徴とする。
【発明の効果】
【００１０】
本発明の好ましい一実施例によると、既存に用いられている一般のプリンタをそのまま利用して簡便にリストバンドを作製することのできるリストバンド用紙及びその製造方法を提供することができる。
【図面の簡単な説明】
【００１１】
【図１】図１ａ及び図１ｂは、それぞれ一般的な形態のリストバンドの平面図及び断面図である。
【００１２】
【図２】図２は、本発明の好ましい一実施例に係るリストバンド用紙の断面図である。
【００１３】
【図３】図３は、本発明の好ましい一実施例に係るリストバンド用紙の平面図である。
【００１４】
【図４】図４は、本発明の好ましい一実施例に係るリストバンド用紙の底面図である。
【００１５】
【図５】図５は、本発明の好ましい一実施例に係るリストバンド用紙の製造方法のフローチャートである。
【発明を実施するための形態】
【００１６】
以下、添付された図面を参照して、本発明の一実施例に係るリストバンド用紙及びその製造方法について詳細に説明する。
【００１７】
本発明の下記の実施例は、本発明を具体化するためだけのものであり、本発明の権利範囲を制限または限定するものではないことは勿論である。本発明の詳細な説明及び実施例から本発明の属する技術分野における専門家が容易に類推できるものは、本発明の権利範囲に属するものと解釈される。
【００１８】
先ず、図１ａ及び図１ｂは、それぞれ一般的な形態のリストバンド（１０）の平面図及び断面図を示す。図１から分かるように、一般のリストバンド（１０）は、一定の長さ及び幅を有する帯状を成しており、バンド（１０）の一端には、バンド（１０）の他端との接着による連結を可能とする接着層（１１）及び接着層（１１）の保護のための剥離層（１２）が形成されている。リストバンド（１０）を用いるとき、剥離層（１２）を除去することにより接着層（１１）の接着面が外部に露出することとなる。
【００１９】
また、接着層（１１）には、使い捨て用に使用を制限するための多数の切込み（１３）が形成され、バンド（１０）の一端がバンド（１０）の他端と一度接着した後、脱着してから再びバンド（１０）が再使用されることを防止する役割を果たす。
【００２０】
このようなリストバンド（１０）では、様々なデザインが印刷され得る。ただし、従来、リストバンド（１０）に一般に用いられるタイベック（Ｔｙｖｅｋ）という用紙の材質の特性上、一般のインクジェットプリンタで印刷することができなかった。参考までに、タイベックは、高密度のポリエチレン繊維を原料として製造され、紙、フィルム及び織物の特性を漏れなく揃えた製品の商標名であると同時に、そのような製品を指す用語でもある。即ち、タイベック用紙は、ＵＶ印刷のみが可能であって、印刷が煩わしい不便さがある。
【００２１】
図２は、本発明の好ましい一実施例に係るリストバンド用紙（１００）の断面図である。図２から分かるように、本発明の好ましい一実施例に係るリストバンド用紙（１００）は、用紙（１００）の上面に、インク受入層（２１）を含み、用紙（１００）の下面に、接着層（２２）及び接着層（２２）を保護するための剥離層（２３）を含むことを特徴とする。本発明に関する説明におけるインク受入層（２１）とは、インクが印刷され得なかった既存のリストバンド用紙にインクが印刷され得るようにする層及び／又はインクを吸収できる層を意味する。
【００２２】
また、図３及び図４は、それぞれ本発明の好ましい一実施例に係るリストバンド用紙（１００）の平面図及び底面図を示す。
【００２３】
図３から分かるように、本発明の好ましい一実施例のリストバンド用紙（１００）は、一定の長さ及び幅の切取線（２５）が形成され、切取線（２５）により区分されたリストバンド（２０）を一つずつ分離可能である。また、切取線（２５）により分離することのできる一つのリストバンド（２０）を見ると、リストバンド（２０）の一端には多数の切込み（２４）が形成されている。
【００２４】
また、図４から分かるように、切取線（２５）が形成された用紙（１００）の上面に対応する用紙（１００）の下面には、接着層（２２）と、接着層（２２）を保護するための剥離層（２３）とが含まれている。剥離層（２３）を剥離し、リストバンド（２０）の一端の接着層（２２）と他端を接着することによりリストバンド（２０）として機能することとなる。
【００２５】
具体的に、用紙（１００）の上面に粘着により形成されたインク受入層（２１）は、ポリエチレン（Ｐｏｌｙｅｔｈｙｌｅｎｅ）、ポリビニルアルコール（Ｐｏｌｙｖｉｎｙｌ  Ａｌｃｏｈｏｌ）及びシリカ（Ｓｉｌｉｃａ）成分を含む溶液を塗布し、乾燥して形成されたことを特徴とする。溶液の塗布については、ローラ（Ｒｏｌｌｅｒ）形態の塗布機の外部に溶液がついており、塗布機の回転によって用紙（１００）上に塗布され、乾燥機によって乾燥する簡単な作業によりインク受入層（２１）が完成することとなる。特に、本発明におけるポリエチレンは、天然繊維（ｎａｔｕｒｅ  ｆｉｂｅｒ）から抽出されたものを用いることが好ましい。
【００２６】
インク受入層（２１）を形成するための溶液のうち、ポリエチレンは７０〜９０重量％（ｗｔ％）、ポリビニルアルコールは５〜２０重量％、及びシリカは３〜１０重量％が含まれることが好ましい。その他の成分として、ジメチル、メチル（ポリエチレンオキシド）シリコン（Ｄｉｍｅｔｈｙｌ、Ｍｅｔｈｙｌ（ｐｏｌｙｅｔｈｙｌｅｎｅ  ｏｘｉｄｅ）Ｓｉｌｉｃｏｎ）等も含むことができる。
【００２７】
図５は、本発明の好ましい一実施例に係るリストバンド用紙（１００）の製造方法のフローチャートを示す。図５から分かるように、本発明の好ましい一実施例に係るリストバンド用紙（１００）の製造方法は、用紙（１００）の上面にインク受入層（２１）溶液を塗布するステップ（Ｓ１０）、インク受入層（２１）溶液を乾燥するステップ（Ｓ２０）、及び用紙（１００）に一定の長さ及び幅の切取線（２５）を形成するステップ（Ｓ３０）；を含むことを特徴とする。
【００２８】
また、本発明の好ましい一実施例に係るリストバンド用紙（１００）の製造方法は、リストバンド（２０）に再使用を制限するための切込み（２４）を形成するステップ（Ｓ４０）、及び用紙（１００）の下面に接着層（２２）及び剥離層（２３）を形成するステップ（Ｓ５０）をさらに含んでいてもよい。接着層（２２）及び剥離層（２３）は、両面テープと呼ばれる接着用テープの一面の剥離面は除去して、用紙に接着し、他の一面の剥離面はそのままにしておくことにより簡単に形成することもできる。
【００２９】
上述したような本発明の好ましい一実施例のインク受入層（２１）によると、用紙に貼付されても用紙の色が変わらないだけでなく、インクジェットプリンタを用いて普通紙に印刷した時と比べて画質の面で全く劣らない優れた性能を示す。即ち、タイベック用紙というリストバンドに必要な用紙の特性をそのまま維持しながらも、使用者の立場からは、一般のプリンタ用用紙と同様にインクジェットプリンタを利用して印刷することができ、装備や施設、作業の追加が要求されない。
【００３０】
結論的に、本発明の一実施例に係るリストバンド用紙（１００）によって、一般に事務室や家庭に多く普及されているインクジェットプリンタを利用して簡単に印刷し、切取線（２５）を切り取って分離することにより多数のリストバンド（２０）を製造可能である。
【産業上の利用可能性】
【００３１】
本発明の好ましい一実施例のリストバンド用紙及びその製造方法によると、一般のプリンタをそのまま利用して簡便にリストバンドを作製することができる。
【符号の説明】
【００３２】
１０：従来のリストバンド
１１：接着層、１２：剥離層
１３：切込み
１００：本発明の好ましい一実施例のリストバンド用紙
２０：本発明の一実施例のリストバンド
２１：インク受入層、２２：接着層
２３：剥離層、２４：切込み
２５：切取線
【図１ａ】
2015501953.tif 000003
【図１ｂ】
2015501953.tif 000004
【図２】
2015501953.tif 000005
【図３】
2015501953.tif 000006
【図４】
2015501953.tif 000007
【図５】
2015501953.tif 000008
【国際調査報告】
2015501953.tif 000009
2015501953.tif 000010
2015501953.tif 000011
2015501953.tif 000012